(57)【特許請求の範囲】
【請求項１】
内容物を収容するための容器本体と、該容器本体の開口部を塞ぐ蓋体とを備え、該容器本体と該蓋体とがヒンジ部を介して一体成形されてなる包装用容器であって、
容器本体および蓋体は、前記開口部に沿って、閉蓋時に互いに重なり合う本体垂下部および蓋体垂下部をそれぞれ有し、
本体垂下部および蓋体垂下部の少なくともヒンジ部と対峙する開閉端側コーナー部には互いに係合し合い、周方向の両端部が徐々に係合高さが低くなるように構成されている周方向に延びる係合部がそれぞれ形成されており、
閉蓋時に容器内方に位置することとなる本体垂下部もしくは蓋体垂下部に形成された前記係合部には周方向のほぼ中央部分となる位置に容器内方側に窪んだ縦方向の凹溝が形成されていることを特徴とする包装用容器。
【発明の詳細な説明】
【技術分野】
【０００１】
本発明は、主として食品等を収容する容器本体と該容器本体の開口部を閉塞する蓋体とがヒンジ部を介して連設されてなる包装用容器に関する。
【背景技術】
【０００２】
この種の包装用容器としては、一般に、食品等の内容物を収容する容器本体と、該容器本体の開口部を閉塞する蓋体とを備え、容器本体の一端に設けられたヒンジ部によって該容器本体と蓋体とが一体成形された構成のものが知られている。この形態の包装用容器は、惣菜や加工食品等の内容物を収容した後、ヒンジ部を介して蓋体を折り返し、容器本体の開口部を閉塞することで食品等の内容物を密閉し、店頭で陳列、販売されるといった使用態様で用いられている。
【０００３】
また、この種の包装用容器を閉蓋状態に固定する手段として、従来、輪ゴムが使用されていたが、輪ゴムを使用しなくとも閉蓋状態に保持しうる包装用容器も提案されている。この形態の包装用容器は、例えば下記特許文献１や特許文献２に記載のように、包装用容器の外周面の一部に容器本体と蓋体とを係合するための係合部を形成したものであり、この形態の包装用容器によれば、蓋体を閉じる際に該係合部を係合させるように閉蓋することで、輪ゴム等を使用せずとも蓋体が閉蓋状態に保持されることとなる。
【先行技術文献】
【特許文献】
【０００４】
【特許文献１】特開２００２−２４０８４２号公報
【特許文献２】特開２０００−１１８５４９号公報
【発明の概要】
【発明が解決しようとする課題】
【０００５】
しかしながら、上記特許文献１あるいは特許文献２に記載のように、包装用容器の外周面の一部に容器本体と蓋体とを係合するための周方向の係合部を形成した形態の包装用容器では、内容物を収容して蓋体を閉じるときに、内側に位置する係合部を外側に位置する係合部が乗り越える動作が必要であり、その乗り越えのために、閉蓋操作がやや困難となっている。また、乗り越え操作を容易にするために係合部の係合高さを低く設定すると、不用意に蓋体が外れてしまうことが起こり、不用意に蓋体が外れるのを防止するために係合部の係合高さを大きくすると、蓋を嵌めにくく、かつ開けにくくなってしまうという問題がある。
【０００６】
本発明は、上記のような従来技術の問題点に鑑み、容器本体と蓋体とがヒンジ部を介して連設され、容器本体と蓋体とを閉蓋状態に保持しうる係合部を備えた包装用容器において、閉蓋時には、容易に閉蓋することができながら、不用意に蓋体が外れてしまうことを防止できるようにした包装用容器を提供することを課題とする。
【課題を解決するための手段】
【０００７】
本発明に係る包装用容器は、内容物を収容するための容器本体と、該容器本体の開口部を塞ぐ蓋体とを備え、該容器本体と該蓋体とがヒンジ部を介して一体成形されてなる包装用容器であって、容器本体および蓋体は、前記開口部に沿って、閉蓋時に互いに重なり合う本体垂下部および蓋体垂下部をそれぞれ有し、本体垂下部および蓋体垂下部の少なくともヒンジ部と対峙する開閉端側コーナー部には互いに係合し合う周方向に延びる係合部がそれぞれ形成されており、閉蓋時に容器内方に位置することとなる本体垂下部もしくは蓋体垂下部に形成された前記係合部には容器内方側に窪んだ縦方向の凹溝が形成されていることを特徴とする。
【０００８】
なお、本発明における容器本体および蓋本体の各構成は、閉蓋時における状態を表すものであり、本発明の説明において、外方とは、容器の内側から容器の外側へ向かう方向をいい、内方とは、容器の外側から容器の内側へ向かう方向をいい、上方および下方とは、容器を水平面上に載置した際の、鉛直方向における上方および下方をいい、周方向とは、容器開口部の周縁に沿った方向をいう。また、垂下するとは、厳密に鉛直方向に垂下する場合に限定されず、傾斜角度を有して下方へ延びる場合をも含む概念である。
【０００９】
上記構成の包装用容器によれば、本体垂下部および蓋体垂下部の少なくともヒンジ部と対峙する開閉端側コーナー部には互いに係合し合う周方向に延びる係合部がそれぞれ形成されており、かつ、蓋を閉めた状態で容器内方に位置することとなる本体垂下部もしくは蓋体垂下部に形成した係合部（以下、説明の都合から第１の係合部という）には容器内方側に窪んだ縦方向の凹溝が形成されている。そのために、閉蓋操作を行う際に、容器外方に位置する蓋体垂下部もしくは本体垂下部に形成した係合部（以下、説明の都合から第２の係合部という）が、前記第１の係合部を乗り越えて互いに係合した姿勢となるときに、前記第１の係合部は前記縦方向の凹溝を有していることから、スムーズに主に周方向に縮径変形することができる。それにより、第２の係合部は容易に第１の係合部を乗り越えることができ、蓋が嵌めやすくなる。結果として、係合部となる係合突起を大きく（係合高さを大きく）しても、閉蓋および開蓋の操作は容易である一方において、不用意に蓋が外れることを防ぐこともできる。
【００１０】
この種の包装用容器において、閉蓋した状態では、高い液密性を確保するために、本体垂下部と蓋体垂下部とを密着した状態とした態様のものとすることができ、その場合、その密着力により開蓋作業が困難となる場合がある。本発明による包装用容器では、前記第１の係合部に前記縦方向の凹溝が形成されていることにより、開蓋作業を開始した直後に前記凹溝内に空気が入り込むことで、密着状態の破壊（真空破壊）が容易となる。このことと、前記した第１の係合部の縮径変形とが相まって、上記態様とした包装用容器では、開蓋作業も容易となる。
【００１１】
本発明に係る包装用容器の一態様において、前記開閉端側コーナー部に形成された周方向の係合部における周方向のほぼ中央部分に少なくとも１つの前記縦方向の凹溝が形成されている。また、該周方向の係合部に２つ以上の前記縦方向の凹溝が形成されてもよい。この形態の包装用容器によれば、閉蓋動作を行う際に、よりスムーズに第１の係合部を縮径変形させることができため、蓋が嵌めやすくなる。
【００１２】
本発明に係る包装用容器の他の態様では、前記開閉端側コーナー部に形成された周方向の係合部はその周方向の両端部が徐々に係合高さが低くなるように構成されている。この形態の構成の包装用容器によれば、閉蓋あるいは開蓋動作を行う際の該係合部の乗り越え抵抗が小さいものとなり、その結果、閉蓋あるいは開蓋動作をさらにスムーズに行うことができる。
【００１３】
本発明に係る包装用容器において、前記係合部は、前記本体垂下部および蓋体垂下部における前記開口部の全周にわたって形成されていてもよく、前記ヒンジ部と対峙する開閉端側コーナー部と開口部に沿う側縁の一部に形成されていてもよい。それらの場合には、前記した容器内方側に窪んだ縦方向の凹溝は、前記ヒンジ部と対峙する開閉端側コーナー部に加えて、他の部分に形成された前記係合部にも形成されていてもよい。
【００１４】
なお、本発明において、「閉蓋時に容器内方に位置することとなる本体垂下部もしくは蓋体垂下部に形成された前記係合部」の表現は、閉蓋時に、容器本体に対して蓋体が外嵌合して密封される形態の包装用容器の場合には、「閉蓋時に容器内方に位置することとなる本体垂下部に形成された前記係合部」を意味し、閉蓋時に、容器本体に対して蓋体が内嵌合して密封される形態の包装用容器の場合には、「閉蓋時に容器内方に位置することとなる蓋体垂下部に形成された前記係合部」を意味する。
【発明の効果】
【００１５】
以上のように、本発明によれば、容器本体と蓋体とがヒンジ部を介して連設され、かつ、容器本体と蓋体とを閉蓋状態に保持しうる係合部を備えた包装用容器において、閉蓋動作および開蓋動作をスムーズに行うことができ、蓋が嵌めやすくなると同時に開けやすくすることができる。その結果、係合部を構成する係合突起（前記した第１の係合部と第２の係合部の係合突起）の係合する高さを大きくすることができ、不用意に蓋が外れることを防ぐこともできる。
【図面の簡単な説明】
【００１６】
【図１】本発明に係る一実施形態の包装用容器を展開した状態の平面図。
【図２】（ａ）は本実施形態に係る包装用容器において容器本体の開閉端側コーナー部を拡大して示した平面図、（ｂ）は側面図。
【図３】は本実施形態に係る包装用容器において容器本体の側方部の形状を説明するための図。
【図４】本実施形態に係る包装用容器について容器本体のヒンジ側コーナー部を拡大して示した斜視図。
【図５】（ａ）は本実施形態に係る包装用容器の容器本体のヒンジ側コーナー部を拡大して示した平面図、（ｂ）は側面図。
【図６】本実施形態に係る包装用容器を閉蓋した状態での開閉端側のコーナー部での断面図。
【図７】本実施形態に係る包装用容器を閉蓋した状態での開閉端側の側縁に沿う断面図。
【発明を実施するための形態】
【００１７】
以下、本発明による包装用容器の一実施の形態を説明する。図１に示すように、本実施形態の包装用容器１は平面視略矩形状に構成されており、内容物を載置する容器本体１０と該容器本体１０の開口部を閉塞する蓋体２０とがヒンジ部３０を介して一体的に成形されている。包装用容器１は、図１に示すような展開した状態で複数の容器が積層され、惣菜店やスーパー等の小売店へと運ばれ、そこで食品等の内容物を容器本体１０に収容した後、図６に示すように、容器本体１０の開口部を蓋体２０で閉塞することで使用に供される。収容される内容物としては、特に限定されるものではないが、例えば、前記小売店にて調理された温かい食品等が挙げられる。
【００１８】
前記容器本体１０は、内容物を載置する底部１１と、該底部１１の周囲から斜め上方へ向かって傾斜しながら起立した本体周壁部１２と、該本体周壁部１２の上端から外方へ向かって延びた本体フランジ部１３と、該本体フランジ部１３の外側周囲から垂下した本体垂下部１４と、該本体垂下部１４の下端から外方へと水平に張り出した本体鍔部１５とを備えている（図４、図７も参照）。
【００１９】
本体フランジ部１３は、具体的には、外側部分に、内方へ向かって低くなるように傾斜した本体フランジ部傾斜面１３ｂと、該本体フランジ部傾斜面１３ｂの内側部分に、該本体フランジ部傾斜面１３ｂの内方周縁よりも隆起した本体フランジ部内周突起１３ａとを備えている。前記本体フランジ部傾斜面１３ｂの外側部分は下向きの傾斜面１３ｄとなっており、該傾斜面１３ｄの端部から前記本体垂下部１４が垂下している。また、前記本体フランジ部内周突起１３ａの内側面は、本体周壁部１２の上部傾斜面がそのまま延長されて構成されており、本体フランジ部内周突起１３ａの内側面と本体周壁部１２とは、境目のない一つの傾斜面１２ａを形成している。
【００２０】
さらに、図１に示すように、本実施形態に係る包装用容器１では、該本体フランジ部内周突起１３ａは、複数の切欠き部１３ｃ、１３ｃ・・・によって周方向の複数箇所で分断されたものとなっている。言い換えると、該切欠き部１３ｃは、容器開口部に沿って周方向に形成された本体フランジ部内周突起１３ａの一部が部分的に欠落し、本体フランジ部傾斜面１３ｂが延長されて本体周壁部１２と直接連続するように形成された部分である。本実施形態に係る包装用容器１では、該切欠き部１３ｃは、容器の一辺あたり３ないし４箇所形成されている。
【００２１】
さらに、該容器本体１０の四隅には、矩形を構成する４つのコーナー部が形成されており、具体的には、図１に示すように、ヒンジ部３０が設けられた一辺の両端に位置するヒンジ側コーナー部１０ｂ、１０ｂと、該ヒンジ部と対峙する他辺の両端に位置する開閉端側コーナー部１０ａ、１０ａとが形成されている。
【００２２】
一方、蓋体２０は、前記底部１１に対向する天板部２１と、該天板部２１の周囲から外方へ向かって下向きに傾斜した蓋周壁部２２とを備えている。また、蓋体２０の周縁には、閉蓋時において前記本体フランジ部１３と対向する蓋フランジ部２３と、該蓋フランジ部２３の周囲から下方へ向かって形成された蓋体垂下部２４と、該蓋体垂下部２４の下端から外方へ張り出した蓋鍔部２５とが備えられている。また、該蓋体２０には、閉蓋状態において蓋フランジ部２３の内周に沿って下方に突出する蓋フランジ部内周突起２６が備えられている。なお、上方や下方といった方向は、上述したように、閉蓋状態における方向をいうものである。
【００２３】
そして、閉蓋状態において互いに重なり合う本体垂下部１４および蓋体垂下部２４における前記ヒンジ部３０と対向するように位置する２箇所の開閉端側コーナー部には、互いに係合する本体側係合部４０および蓋体側係合部５０がそれぞれ形成されている。
【００２４】
具体的には、容器本体１０には、ヒンジ部３０と対向するように位置する２箇所の開閉端側コーナー部１０ａ、１０ａに、本体側第一係合部４０、４０がそれぞれ形成されている。図２（ａ）および（ｂ）にその一方側を示すように、また、図６にコーナー部１０ａでの断面を示すように、該本体側第一係合部４０は、円弧状に湾曲した該開閉端側コーナー部に沿って周方向に円弧状に湾曲して延びるように形成されており、本体垂下部１４の上部４１が外方へと膨出し、下部４２が内方へと窪んだ形状となっている。言い換えると、本実施形態における本体側第一係合部４０は、円弧状に湾曲した開閉端側コーナー部１０ａに沿うようにして円弧状に張り出した隆起部４１を有するとともに、該開閉端側コーナー部１０ａに沿うようにして円弧状に窪んだ溝部４２を有する構成となっている。また、前記隆起部４１の上方側は、上に向いた傾斜面４１ａとなっており、該傾斜面４１ａの上端と前記した本体フランジ部傾斜面１３ｂの上端とが連続している。
【００２５】
そして、前記本体側第一係合部４０の周方向のほぼ中央部には、容器内方側に窪んだ縦方向の凹溝４３が形成されている。なお、前記縦方向の凹溝４３は、図示のものでは、隆起部４１および溝部４２の双方にわたって形成されているが、隆起部４１のみに形成してもよい。
【００２６】
さらに、該本体側第一係合部４０の周方向の先端４０ａは、開閉端側コーナー部１０ａの周方向終端４０ｂを起点として、前記ヒンジ側コーナー部１０ｂへ向かって徐々に係合高さが低くなるように構成されている。本実施形態においては、この係合高さは、前記隆起部４１と溝部４２との段差により構成されるものである。従って、図示のものでは、本体側第一係合部４０の先端４０ａは、開閉端側コーナー部１０ａの周方向終端を起点として前記ヒンジ側コーナー部１０ｂへ向かって徐々に前記隆起部４１と溝部４２との段差が小さくなるように構成されている。
【００２７】
一方、蓋体垂下部２４にも、本体垂下部１４に形成された本体側第一係合部４０と係合しうる蓋体側第一係合部５０が形成されている。本実施形態では、該蓋体側第一係合部５０は、外方へ向かって膨出した隆起部５１および内方へ向かって窪んだ溝部５２から構成されている。そして、前記隆起部５１の上方側は、上に向いた傾斜面５１ａとなっており、該傾斜面５１ａの上端と前記した蓋フランジ部２３の傾斜面の上端とが連続している。ただし、外方へ向かって膨出した隆起部５１および内方へ向かって窪んだ溝部５２には、縦方向の凹溝は形成されてなく、周方向に連続した隆起部５１および溝部５２となっている。
【００２８】
さらに、図７に示すように、蓋体垂下部２４における蓋体側第一係合部５０が形成されている部分以外の箇所において、蓋体垂下部２４の上方部側は上方向けた傾斜面２４ａとなっており、該傾斜面２４ａの上端と前記蓋フランジ部２３の傾斜面の上端とが連続している。
【００２９】
本実施形態における包装容器１において、閉蓋時には、図６に示すように、蓋体側第一係合部５０に形成した前記隆起部５１の内側に本体側第一係合部４０に形成した隆起部４１が入り込んだ状態で互いに係合し、また、本体側第一係合部４０に形成した溝部４２の外側に蓋体側第一係合部５０に形成した前記溝部５２が入り込んだ状態で互いに係合した状態となる。また、この包装用容器１では、前記本体側第一係合部４０に形成した隆起部４１および蓋体側第一係合部５０に形成した隆起部５１の上方側は傾斜面４１ａ，５１ａとなっており、閉蓋した状態で、双方の傾斜面４１ａ，５１ａは、図６に示すように、重なり合うように設計されている。さらに、図７に示すように、閉蓋した状態で、本体フランジ部傾斜面１３ｂの外側部分に形成した傾斜面１３ｄと蓋体垂下部２４の上方部側に形成した傾斜面２４ａも重なり合うように設計されている。
【００３０】
また、図には示されないが、前記蓋体側第一係合部５０も、前記本体側第一係合部４０と対応するように、開閉端側コーナー部の周方向終端を起点としてヒンジ側コーナー部へ向かって係合高さが低くなるように構成されている。
【００３１】
本実施形態に係る包装用容器１の閉蓋時には、図６および図７に示すように、容器本体１０の本体垂下部１４と蓋体２０の蓋体垂下部２４とが互いに重なり合い、かつ、本体鍔部１５と蓋鍔部２５とが当接し合う。これに対し、本体フランジ部１３と蓋フランジ部２３とは当接することなく、空間を開けて対峙した状態となる。ただし、前記したように、本体側第一係合部４０に形成した隆起部４１の傾斜面４１ａと蓋体側第一係合部５０に形成した隆起部５１の上方側に形成した傾斜面５１は、閉蓋した状態で重なり合い、また、本体フランジ部傾斜面１３ｂの外側部分に形成した傾斜面１３ｄと蓋体垂下部２４の上方部側に形成した傾斜面２４ａも閉蓋した状態で重なり合う。なお、重なり合うとは、両者が当接し合う場合のみならず、両者の間にわずかな隙間が形成されるように近接し合う状態をも含むものである。
【００３２】
また、開閉端側コーナー部においては、前記したように、本体側第一係合部４０と、蓋体側第一係合部５０とが、互いに係合し合うことで閉蓋状態を保持しうる構成となっている。本実施形態では、蓋体側第一係合部５０の溝部５２が、本体側第一係合部４０の隆起部４１を乗り越えて溝部４２内に嵌ることで、本体側第一係合部４０と蓋体側第一係合部５０とが係合するように構成されている。
【００３３】
一方、ヒンジ部３０が設けられた一辺、即ち、ヒンジ部側の直線部にも、本体垂下部１４と蓋体垂下部２４とに係合部が形成されている。具体的には、図４および図５に示すように、前記ヒンジ側コーナー部１０ｂに近接した、直線部の両端２箇所に、それぞれ、本体側第二係合部４５と蓋体側第二係合部５５とが形成されている。本実施形態では、これら本体側第二係合部４５および蓋体側第二係合部５５は、前記本体側第一係合部４０と蓋体側第一係合部５０と同様に、隆起部と溝部とが係合し合う構成となっている。
【００３４】
さらに、本実施形態では、図４および図５に示すように、容器本体１０の前記ヒンジ側コーナー部１０ｂにおいて、本体垂下部１４の上部に、容器外方へ向かって低くなる傾斜面１９が形成されている。具体的には、該傾斜面１９は、ヒンジ側コーナー部１０ｂの円弧に沿うようにして円弧状に湾曲して形成されており、本体フランジ部傾斜面１３ｂと本体垂下部１４とによって構成される角を、面取りしたような形状に形成されている。
【００３５】
この構成の包装用容器１によれば、開閉端側コーナー部１０ａに形成された本体側第一係合部４０を構成する周方向の隆起部４１および溝部４２には、容器内方側に窪んだ縦方向の凹溝４３が形成されているので、外部から応力を受けたときに、このような縦方向の凹溝４３を備えないものと比較して、少なくとも周方向に変形しやすくなっている。包装用容器１は、閉蓋するときに、前記したように、蓋体側第一係合部５０の溝部５２が、本体側第一係合部４０の隆起部４１を乗り越えて溝部４２内に嵌ることで、本体側第一係合部４０と蓋体側第一係合部５０とが係合するようになっているが、蓋体側第一係合部５０の溝部５２が本体側第一係合部４０の隆起部４１を乗り越えるときに、本体側第一係合部４０の隆起部４１は蓋体側第一係合部５０の溝部５２から応力を受ける。加えられた応力により、本体側第一係合部４０は前記のように少なくとも周方向には変形しやすくなっているので、容易に縮径方向に変形し、蓋体側第一係合部５０の溝部５２が本体側第一係合部４０の隆起部４１を乗り越える動作を容易にする。
【００３６】
蓋体側第一係合部５０の溝部５２が本体側第一係合部４０の隆起部４１を乗り越えて係合状態となったときには、本体側第一係合部４０は外部応力から解放されるので、もとの姿勢に復帰する。それにより、本体側第一係合部４０と蓋体側第一係合部５０との係合は確実なものとなり、しっかりと閉蓋される。
【００３７】
開蓋するときには、蓋体側第一係合部５０の近傍を持ち上げることとなるが、その持ち上げにより、蓋体側第一係合部５０の溝部５２から本体側第一係合部４０の隆起部４１に外部応力が作用する。それにより、本体側第一係合部４０はやはり周方向に変形して、開蓋操作を容易にする。また、閉蓋した状態で本体側第一係合部４０と蓋体側第一係合部５０が密着した状態となっているときには、前記縦方向の凹溝４３を介して密着面に空気が入りやすくなり、その点からも、開蓋操作は容易となる。
【００３８】
すなわち、本体側第一係合部４０が変形することで閉蓋および開蓋の操作がしやすくなっており、そのために、前記係合部の係合深さを大きくしても、閉蓋および開蓋の操作を容易に行うことができる。結果として、不用意に蓋体が外れてしまうことを確実に防止することができるようになる。
【００３９】
さらに、上記の包装用容器１では、開閉端側コーナー部１０ａに形成された本体側第一係合部４０（隆起部４１）および蓋体側第一係合部５０（溝部５２）の先端４０ａが、開閉端側コーナー部１０ａの周方向終端を起点として、ヒンジ側コーナー部１０ｂに向かって係合高さが徐々に低くなるように構成されているため、閉蓋動作を行う際の該容器を上下から押える力が、本体側第一係合部４０（隆起部４１）および蓋体側第一係合部５０（溝部５２）の全体に伝わり易いものとなる。それによっても、閉蓋および開蓋の操作が容易となる。
【００４０】
一方、本実施形態に係る包装用容器１では、この係合部が、開閉端側コーナー部１０ａに局所的に形成され、ヒンジ側コーナー部１０ｂには係合部が形成しない構成としているため、該容器を上下から押える力が該係合部全体に亘って伝わり易くなるとともに、ヒンジ部３０側では不完全な閉蓋状態となることが防止される。そして、ヒンジ部３０側では、ヒンジ側コーナー部１０ｂに近接した、直線部の両端２箇所に、それぞれ、本体側第二係合部４５と蓋体側第二係合部５５とが形成されているため、ヒンジ部側においても、容器本体は蓋体によってきっちりと閉じられた状態となる。
【００４１】
また、本実施形態に係る包装用容器１は、容器本体１０の前記ヒンジ側コーナー部１０ｂにおいて、本体垂下部１４の上部に、容器外方へ向かって低くなる傾斜面１９が形成されているため、蓋体２０が容器本体１０に対して左右にずれるように閉蓋動作が行われたとしても、該傾斜面１９が蓋体２０の蓋鍔部２５を本体垂下部１４の外側へと案内し、蓋鍔部２５と本体フランジ部傾斜面１３ｂとが噛み合うことを防止し、速やかに完全な閉蓋状態となるよう導くことができる。よって、該傾斜面１９を備えたことにより、開閉端側コーナー部の２ヶ所を抑える操作によって、完全な閉蓋状態とすることができる。
【００４２】
また、本実施形態に係る包装用容器１は、蓋フランジ部２３が、図示のように、内方に向かって低くなるように傾斜した形状となっており、さらに、本体フランジ部１３の外側域と蓋フランジ部２３の外側域も傾斜面同士が当接するようになっている。そのために、万一、該蓋フランジ部２３に水滴が付着した場合であっても、水滴が内側へ流れやすくなるとともに、外側へ漏れ出す可能性を低減することができる。
【００４３】
さらに、本実施形態では、前記蓋フランジ部内周突起２６の下端が、本体周壁部１２に当接するように構成されている。この構成により、蓋天板２１や蓋周壁部２２から流下した水滴が、本体周壁部１２へと伝わりやすくなり、フランジ部の隙間へ侵入することが防止される。結果として、水滴が容器外部へ漏れ出すのを防止できる。
【００４４】
なお、特に言及していないが、本実施形態における容器本体１０および蓋体２０は、例えば樹脂製シートを熱成型法によって成形され得るものであり、上述の各部の境界部分は連続しており、また、必要に応じた曲率半径で湾曲した（丸みを持たせた）態様で形成されている。
【００４５】
本発明に係る包装用容器は、上記実施形態に限定されるものではなく、本発明の要旨を逸脱しない範囲内において種々変更を加え得ることは勿論である。
【００４６】
例えば、上記実施形態では、容器本体１０には隆起部４１と溝部４２とからなる本体側第一係合部４０や本体側第二係合部４５を備え、蓋体２０には、隆起部５１と溝部５２とならなる蓋体側第一係合部５０や蓋体側第二係合部５５を備えた場合について説明したが、本体側第二係合部４５および蓋体側第二係合部５５は他の部位に設けてもよい。ただし、図示した形態の包装容器１では、本体側第二係合部４５および蓋体側第二係合部５５を備えることにより、本体側第一係合部４０と蓋体側第一係合部５０とを係合するため開閉端側コーナー部の２ヶ所を押さえる操作を行うのみで、蓋体２０を容器本体１０の全周にわたって確実にかつ容易に保持させることができる。
【００４７】
また、周方向に延びる係合部４０，５０を、本体垂下部１４および蓋体垂下部２４のヒンジ部３０と対峙する開閉端側コーナー部に形成したものを例示したが、同様の係合部４０，５０を、本体垂下部１４および蓋体垂下部２４のヒンジ部３０側のコーナー部にも形成してもよい。この場合には、本体側第二係合部４５および蓋体側第二係合部５５を形成することは必要なく、４つのコーナー部に形成した周方向に延びる係合部４０，５０でもって、蓋体２０を容器本体１０の全周にわたって確実に保持させることができる。
【００４８】
また、容器内方側に窪んだ縦方向の凹溝４３を本体側係合部４０の周方向の中央部に１つのみ形成したものを示したが、縦方向の凹溝４３を複数設ける構成であってもよい。また、１個の場合でも、中央部に限らず、側方に偏位した位置に形成されていても、所期の目的は達成可能である。
【００４９】
また、上記実施形態では、閉蓋時に、本体フランジ部と蓋フランジ部とが当接しない、いわゆる液漏れ防止タイプの包装用容器について説明したが、本発明はこのような態様に限定されるものではなく、本体フランジ部と蓋フランジ部とが当接するような一般的な蓋付き包装用容器に対しても適用することができる。また、本体フランジ部内周突起１３ａを省略することもできる。
【００５０】
また、蓋体の端部（例えば、前記蓋鍔部の外周部）には、図示しないが、熱成形による細かな凹凸加工やエンボス加工を施すことにより、側面視にて波形（正弦波、三角波、台形波等）の外縁線、即ち、直線ではない外縁線を備えるようにしてもよい。これにより、蓋体の外周縁のエッジの鋭利さが解消されるため、蓋体を開閉する際の指先を保護することができ、また、包装フィルム（図示しない）を使用してラッピングする際に包装フィルムが裂断するのを防止することができる。さらに、蓋体の外周縁の強度が増し、蓋体が裂断するのを防止する効果もある。なお、上記した外周縁のエッジの鋭利さを解消するための種々の施策は、容器本体の外周縁部（即ち、本体鍔部の外周部）に施してもよい。
【符号の説明】
【００５１】
１…包装用容器、１０…容器本体、１１…底部、１２…本体周壁部、１３…本体フランジ部、１３ａ…本体フランジ部内周突起、１３ｂ…本体フランジ部傾斜面、１３ｃ…切欠き部、１４…本体垂下部、１５…本体鍔部、１９…傾斜面、２０…蓋体、２１…蓋天板、２２…蓋周壁部、２３…蓋フランジ部、２４…蓋体垂下部、２５…蓋鍔部、２６…蓋フランジ部内周突起、３０…ヒンジ部、４０…本体側係合部、４１…隆起部、４３…容器内方側に窪んだ縦方向の凹溝、４２…溝部、５０…蓋体側係合部、５１…隆起部、５２…溝部。
【図１】
0005504005.tif 000002
【図２】
0005504005.tif 000003
【図３】
0005504005.tif 000004
【図４】
0005504005.tif 000005
【図５】
0005504005.tif 000006
【図６】
0005504005.tif 000007
【図７】
0005504005.tif 000008